(57)【要約】【課題】包装充填機内部で、一連の工程を処理しながら、容器をスムーズに搬送すると共に、液体充填された容器の器壁に膨らみや凹みがない、整った外観を持つ容器が得られる紙容器用搬送装置を提供する【解決手段】容器正立、滅菌、液体充填、頂部密封の一連の工程が実質的に直線上に処理される包装充填装置の内部に設置され、処理される容器を搬送する搬送装置であって、搬送装置は、上下各一対で水平に移動する無端チェーンを備え、一対のチェーンは、容器の幅相当の距離だけ離れ、平行に設置され、上下のチェーンに等間隔で固定され、隣接する一対で容器を保持するキャリアを備え、キャリアには、隣接する容器間の間隙に嵌合されるように突起する突起部と、隣接する前後のキャリアの両方向に延在して進行の前後方向の容器側壁と接触する延在部とを有し、延在部には、進行の前後方向の容器側壁の面と更に接触する延在延長部を備える。【選択図】図１
2014213915.tif 000002
【特許請求の範囲】
【請求項１】
容器正立、滅菌、液体充填、頂部密封の一連の工程が実質的に直線上に処理される包装充填装置の内部に設置され、処理される容器を搬送する搬送装置であって、
該搬送装置は、上下各一対で水平に移動する無端チェーンを備え、一対の該チェーンは、該容器の幅相当の距離だけ離れ、平行に設置され、
上流側及び／又は下流側に該チェーンの駆動端に、該チェーンを駆動する駆動手段を有し、
一対の該チェーンの間には、該容器が搬送されている間、該容器の底を支えるボトムレールを備え、
上下の該チェーンに等間隔で固定され、隣接する一対で該容器を保持するキャリアを備え、
該キャリアには、隣接する該容器間の間隙に嵌合されるように突起する突起部と、隣接する前後の該キャリアの両方向に延在して進行の前後方向の該容器側壁と接触する延在部とを有し、
該延在部には、進行の前後方向の該容器側壁の面と更に接触する延在延長部を備える、
ことを特徴とする紙容器用搬送装置。
【請求項２】
該延在延長部が、該延在部の側縁から隣接延在部側に取付けられ、上部に、上方に広がる傾斜を備える傾斜部分を備える、請求項１記載の紙容器用搬送装置。
【請求項３】
該延在延長部が、広幅の延在部の側端部分である、請求項１記載の紙容器用搬送装置。
【請求項４】
該延在延長部が、該延在部と隣接延在部との間の中央に挿入された接触平坦面部材である、請求項１記載の紙容器用搬送装置。
【発明の詳細な説明】
【技術分野】
【０００１】
本発明は、牛乳、ジュース等液体食品の屋根型紙容器の包装充填に用いる搬送装置に関する。
【背景技術】
【０００２】
内外面に熱可塑性樹脂層を設けた紙積層材料からなる底有り角筒状体容器を準備し、容器底を下に容器開口が上になるように容器を垂直に正立させ、容器の内部を滅菌し、容器の頂部の開口部から内溶液の牛乳、ジュース等飲料を充填し、頂部容器内面の密封部分に熱風を吹きつけて、熱可塑性樹脂層を軟化／溶融し、押圧して頂部開口部を密封し、液体を充填した屋根型紙容器を得る。上記の一連の工程（容器正立、滅菌、液体充填、頂部密封など）が包装充填機内部で行われる（例えば、特許文献１参照）。
【０００３】
上記の包装充填では、平板矩形形状の紙基材ブランクスが縦シールで筒状に形成された後、下部を折込んで熱圧着により底部４を形成して底有り角筒状体容器を得る（図１（Ａ））。上記の一連の工程で、屋根型紙容器１（図１（Ｂ））が形成される。
【０００４】
上記の包装充填装置では、一連の工程が実質的に直線上に処理され、直線状の搬送装置によって、容器が搬送される。搬送装置は、一対の無端チェーン９ａ、９ｂを備え、一対のチェーン９ａ、９ｂは、図８に示すように、容器１の幅相当の距離だけ離れ、平行に設置される。
上流側及び／又は下流側に、チェーンの駆動端にあり、サーボモーターなどの駆動手段がチェーンを駆動し、一対はお互いに逆に回転する。搬送装置には、同期センサーが設置され、チェーンを通して容器の流れを検知し、処理／運転を制御する。
一対のチェーン９ａ、９ｂの間には、図８に示すように容器１がチェーンに挟まれて流れる間、容器の底を支えるボトムレールが設置されている。
【先行技術文献】
【特許文献】
【０００５】
【特許文献１】特開２００７−０５５６７３７号公報
【発明の概要】
【発明が解決しようとする課題】
【０００６】
搬送装置によって、容器が搬送される間に、また、液体充填された容器が製造された後に流通される過程で、容器器壁が膨らんだり、凹んだりするような、容器の外観が変形するという不都合が起こる恐れがある。
この発明は、包装充填機内部で、一連の工程を処理しながら、容器をスムーズに搬送すると共に、液体充填された容器の器壁に膨らみや凹みがない、整った外観を持つ容器が得られる紙容器用搬送装置を提供することを目的とする。
【課題を解決するための手段】
【０００７】
本発明の搬送装置は、容器正立、滅菌、液体充填、頂部密封の一連の工程が実質的に直線上に処理される包装充填装置の内部に設置され、処理される容器を搬送する搬送装置であって、
搬送装置は、上下各一対で水平に移動する無端チェーンを備え、一対のチェーンは、容器の幅相当の距離だけ離れ、平行に設置され、
上流側及び／又は下流側にチェーンの駆動端に、チェーンを駆動する駆動手段を有し、
一対のチェーンの間には、容器が搬送されている間、容器の底を支えるボトムレールを備え、
上下のチェーンに等間隔で固定され、隣接する一対で容器を保持するキャリアを備え、
キャリアには、隣接する容器間の間隙に嵌合されるように突起する突起部と、隣接する前後のキャリアの両方向に延在して進行の前後方向の容器側壁と接触する延在部とを有し、
延在部には、進行の前後方向の容器側壁の面と更に接触する延在延長部を備える、
ことを特徴とする。
【０００８】
この発明の好ましい態様において、延在延長部が、延在部の側縁から隣接延在部側に取付けられ、上部に、上方に広がる傾斜を備える傾斜部分を備える。
【０００９】
この発明の好ましい態様において、延在延長部が、広幅の延在部の側端部分である。
【００１０】
この発明の好ましい態様において、延在延長部が、延在部と隣接延在部との間の中央に挿入された接触平坦面部材である。
【発明の効果】
【００１１】
上記構成の本発明によれば、以下の作用機能を発揮し、有利な効果が得られる。
この発明の搬送装置では、容器正立、滅菌、液体充填、頂部密封の一連の工程が実質的に直線上に処理される包装充填装置の内部に設置され、処理される容器を搬送する。
一連の工程による全体の処理が、一括して一の装置の内部で、一の直線上で行われるので、搬送装置が、容器外観に対する負荷を最小限にすることができる。
【００１２】
この発明の搬送装置は、上下各一対で水平に移動する無端チェーンを備え、一対のチェーンは、容器の幅相当の距離だけ離れ、平行に設置され、一対のチェーンの間には、容器が搬送されている間、容器の底を支えるボトムレールを備え、上流側及び／又は下流側にチェーンの駆動端に、チェーンを駆動する駆動手段を有する。
一連の工程が実質的に直線上に処理される紙容器を、容器両側から挟み、容器下から支えながら、搬送し、上流側から空容器を供給し、下流から充填済み製品容器を出すことができる。
【００１３】
この発明の搬送装置は、上下のチェーンに等間隔で固定され、隣接する一対で容器を保持するキャリアを備え、キャリアには、隣接する容器間の間隙に嵌合されるように突起する突起部と、隣接する前後のキャリアの両方向に延在して進行の前後方向の容器側壁と接触する延在部とを有する。
上記のような構成を有するので、一方のチェーンのキャリアの突起部の進行方向側面と隣接する延在部の接触面との第１角、一方のチェーンの隣接キャリアの突起部の進行逆方向側面と隣接する延在部の接触面との第２角、他方のチェーンのキャリアの突起部の進行方向側面と隣接する延在部の接触面との第３角及び、他方のチェーンの隣接キャリアの突起部の進行逆方向側面と隣接する延在部の接触面との第４角の４つの角とその延長面とで構成される空間が形成される。
この空間が容器を嵌合することができる空間（容器嵌合空間）となる。
【００１４】
この発明の特徴では、搬送装置は、延在部には、進行の前後方向の容器側壁の面と更に接触する延在延長部を備える。
延在延長部が、容器側壁の面と更に接触するので、容器側壁が搬送中に、振動により外側に変形すること無く、また、充填された液体食品の重みによって外側に変形すること無く、更に、冷たい液体食品による容器側壁の軟弱化を補強して外側に変形することを無くすことができる。
包装充填機内部で、一連の工程を処理しながら、容器をスムーズに搬送すると共に、液体充填された容器の器壁に膨らみや凹みがない、整った外観を持つ容器を得ることができる。
充填時におけるバルジングの影響を防止でき、紙容器の成形性を保持することができる。
【００１５】
この発明の好ましい態様において、延在延長部が、延在部の側縁から隣接延在部側に取付けられ、上部に、上方に広がる傾斜を備える傾斜部分を備える。
この態様において、空容器を容器嵌合空間にスムーズに案内して容易に挿入できると共に、挿入時に損傷なく所定位置までガイドして整った容器外観を得ることができる。
【００１６】
この発明の好ましい態様において、延在延長部が、広幅の延在部の側端部分である。
一体的に形成されているので、上述の作用効果を発揮することができる。
【００１７】
この発明の好ましい態様において、延在延長部が、延在部と隣接延在部との間の中央に挿入された接触平坦面部材である。
【００１８】
容器側壁の面と接触する面積割合を高めることができ、上述の作用効果を発揮することができる。
上述のように、包装充填機内部で、一連の工程を処理しながら、容器をスムーズに搬送すると共に、液体充填された容器の器壁に膨らみや凹みがない、整った外観を持つ容器が得られる紙容器用搬送装置を提供することができる。
【図面の簡単な説明】
【００１９】
【図１】この発明で使用することができる紙包装容器の充填前の上部開口した空容器（Ａ）及び密封された紙容器（Ｂ）の外観斜視図である。
【図２】この発明による第１実施例の搬送装置を示す部分側面図である。
【図３】この発明による第２実施例の搬送装置を示す部分側面図（Ａ）及び部分平面図（Ｂ）である。
【図４】この発明による第３実施例の搬送装置を示す部分側面図（Ａ）及び部分平面図（Ｂ）である。
【図５】この発明で使用できる搬送装置の全体平面概略図である。
【図６】この発明で使用できる搬送装置の駆動端部分の側面図である。
【図７】この発明で使用できる搬送装置の駆動端部分の斜視図である。
【図８】搬送装置で容器を搬送中の参考例の様子を示す部分平面図である。
【発明を実施するための形態】
【００２０】
以下、本発明の実施の形態について、添付図面を参照しながら詳細に説明する。
この発明の実施の形態の搬送装置では、搬送装置の全体平面概略の図５に示すように、容器正立ステーション４、滅菌ステーション５、液体充填ステーション６、頂部密封ステーション７の一連の工程が実質的に直線上に処理される包装充填装置（図示せず）の内部に設置され、処理される容器１を搬送する。
【００２１】
折目線が付された内外面に熱可塑性樹脂層を設けた紙積層材料を、屋根型容器の展開形状に裁断し、長手方向に縦シールして両方向が開口した角筒状ブランクスを得る。
角筒状ブランクスのマンドレルに嵌挿しマンドレル外端から出た底用開口部のパネルを折れ目線に沿って折畳み、内外から金型で熱と圧力で押圧して、底部を形成する。
【００２２】
底有り角筒状体容器を準備し、容器正立ステーション４で、容器底を下に容器開口が上になるように容器を垂直に正立させる。
図５に示すように、底有り角筒状体容器１を、多数個縦列に整列させ、殺菌ステーション５、充填ステーション６、頂部用のトップシールステーション７を順次、搬送し、出口８から出る。
【００２３】
容器正立ステーション４、殺菌ステーション５、充填ステーション６、頂部用のトップシールステーション７及び出口８の一連の工程による全体の処理が、一括して一の装置の内部で、一の直線上で行われるので、搬送装置が、容器外観に対する負荷を最小限にする。
【００２４】
この実施形態の搬送装置は、図７に示すように、上下各一対で水平に移動する無端チェーン９ａ、９ａ、９ｂ、９ｂを備え、一対のチェーン９ａ、９ｂは、図５に示すように、容器の幅相当の距離だけ離れ、平行に設置される。
【００２５】
この実施形態の搬送装置は、図６に示すように、一対のチェーンの間には、容器が搬送されている間、容器の底を支えるボトムレール１３を備え、上流側及び／又は下流側にチェーンの駆動端１１に、チェーン９を駆動するサーボモータの駆動手段を有する。
この態様では、チェーンのカバーするサイドレール１２が実質的全体に設けられている。
この態様の構成において、一連の工程が実質的に直線上に処理される紙容器を、容器両側から挟み、容器下から支えながら、搬送し、上流側から空容器を供給し、下流から充填済み製品容器を出す。
【００２６】
この実施形態の搬送装置は、図６及び図７に示すように、上下のチェーン９、９に等間隔で固定され、隣接する一対で容器を保持するキャリア１６を備え、キャリア１６には、隣接する容器間の間隙に嵌合されるように突起する突起部１４と、隣接する前後のキャリアの両方向に延在して進行の前後方向の容器側壁と接触する延在部１５、１５とを有する。
【００２７】
この実施形態の搬送装置は、参考図の図８を参照すれば、一方のチェーン９ａのキャリア１６の突起部１４の進行方向側面と隣接する延在部１５の接触面との第１角１７ａ１、一方のチェーン９ａの隣接キャリア１６の突起部１４の進行逆方向側面と隣接する延在部１５の接触面との第２角１７ａ２、他方のチェーン９ｂのキャリア１６の突起部１４の進行方向側面と隣接する延在部１５の接触面との第３角１７ｂ１及び、他方のチェーン９ｂの隣接キャリアの突起部１４の進行逆方向側面と隣接する延在部１５の接触面との第４角１７ｂ２の４つの角とその延長面とで構成される空間１８が形成される。
空間１８が容器１外形に嵌合する容器嵌合空間である。
【００２８】
搬送装置は、延在部１５には、進行の前後方向の容器側壁の面と更に接触する延在延長部１９を備える。
延在延長部が、容器側壁の面と更に接触する。容器側壁が搬送中に、振動により外側に変形すること無く、また、充填された液体食品の重みもより外側に変形すること無く、更に、冷たい液体食品による容器側壁の軟弱化を補強して外側に変形することを無くす。
包装充填機内部で、一連の工程を処理しながら、容器をスムーズに搬送すると共に、液体充填された容器の器壁に膨らみや凹みがない、整った外観を持つ容器を得る。また、同様に、充填時におけるバルジングの影響を防止でき、紙容器の成形性を保持する。
【００２９】
図２に実施例１を図示する。実施例１では、延在延長部１９が、延在部１５の側縁から隣接延在部１５側に取付けられ、上部に、上方に広がる傾斜を備える傾斜部分１９ａを備える。
実施例１では、空容器を容器嵌合空間１８にスムーズに案内して容易に挿入できると共に、挿入時に損傷なく所定位置までガイドして整った容器外観を得る。
【００３０】
図３に実施例２を図示する。延在延長部１９が、広幅の延在部１５の側端部分１９である。
一体的に形成されているので、包装充填機内部で、容器をスムーズに搬送すると共に、液体充填された容器の器壁に膨らみや凹みがない、整った外観を持つ容器を得え、充填時におけるバルジングの影響を防止でき、紙容器の成形性を保持する。
【００３１】
図４に実施例３を図示する。延在延長部１９が、延在部１５と隣接延在部１５との間の中央に挿入された接触平坦面部材である。
容器側壁の面と接触する面積割合を高めることができ、包装充填機内部で、一連の工程を処理しながら、容器をスムーズに搬送すると共に、液体充填された容器の器壁に膨らみや凹みがない、整った外観を持つ容器が得られる紙容器用搬送装置を提供する。
【００３２】
なお、本発明は前記実施の形態に限定されるものではなく、本発明の趣旨に基づいて種々変形させることが可能であり、それらを本発明の範囲から排除するものではない。
【産業上の利用可能性】
【００３３】
この発明は、液体食品の包装充填の製造に適用することができる。
【図１】
2014213915.tif 000003
【図２】
2014213915.tif 000004
【図３】
2014213915.tif 000005
【図４】
2014213915.tif 000006
【図５】
2014213915.tif 000007
【図６】
2014213915.tif 000008
【図７】
2014213915.tif 000009
【図８】
2014213915.tif 000010